(57)【特許請求の範囲】
【請求項１】
中央ユニット-分散ユニット(CU-DU)アーキテクチャにおける重複モードのための通信処理方法であって、
CUによってDUに第1のメッセージを送信するステップであって、前記第1のメッセージが、データ無線ベアラの重複モードのための、前記CUと前記DUとの間のインターフェース上の少なくとも2つのアップリンクトンネルエンドポイントを示す情報を含む、ステップと、
前記CUによって、前記DUによって送信される第2のメッセージを受信するステップであって、前記第2のメッセージが、前記データ無線ベアラのための、前記CUと前記DUとの間の前記インターフェース上の少なくとも2つのダウンリンクトンネルエンドポイントを示す情報と、前記データ無線ベアラの一次経路の論理チャネル識別情報とを含み、前記データ無線ベアラの前記一次経路が、前記少なくとも2つのアップリンクトンネルエンドポイントの第1のアップリンクトンネルエンドポイントに対応する、ステップとを含む方法。
【請求項２】
前記少なくとも2つのダウンリンクトンネルエンドポイントが前記少なくとも2つのアップリンクトンネルエンドポイントと1対1で対応する、請求項1に記載の方法。
【請求項３】
前記データ無線ベアラの前記重複モードが、前記データ無線ベアラについて、PDCP層における1つのパケットデータコンバージェンスプロトコル(PDCP)エンティティが無線リンク制御(RLC)層における少なくとも2つのRLCエンティティに対応し、前記PDCPエンティティ上のいくつかまたはすべてのデータが前記少なくとも2つのRLCエンティティ上で重複して送信される、請求項1または2に記載の方法。
【請求項４】
前記CUが、パケットデータコンバージェンスプロトコル(PDCP)層の機能と無線リソース制御(RRC)層の機能とを実装するように構成され、前記DUが、物理(PHY)層の機能と、メディアアクセス制御(MAC)層の機能と、無線リンク制御(RLC)層の機能とを実装するように構成される、請求項1から3のいずれか一項に記載の方法。
【請求項５】
前記一次経路の前記論理チャネル識別情報が、前記少なくとも2つのダウンリンクトンネルエンドポイントのうちの1つに対応する経路の識別情報である、請求項1から4のいずれか一項に記載の方法。
【請求項６】
前記方法が、前記CUによって、前記DUを介して前記データ無線ベアラの前記一次経路の前記論理チャネル識別情報を端末側デバイスに通知するステップをさらに含む、請求項1から5のいずれか一項に記載の方法。
【請求項７】
中央ユニット-分散ユニット(CU-DU)アーキテクチャにおける重複モードのための通信処理方法であって、
DUによって、CUによって送信される第1のメッセージを受信するステップであって、前記第1のメッセージが、データ無線ベアラの重複モードのための、前記CUと前記DUとの間のインターフェース上の少なくとも2つのアップリンクトンネルエンドポイントを示す情報を含む、ステップと、
前記DUによって第2のメッセージを前記CUに送信するステップであって、前記第2のメッセージが、前記データ無線ベアラのための、前記CUと前記DUとの間の前記インターフェース上の少なくとも2つのダウンリンクトンネルエンドポイントを示す情報と、前記データ無線ベアラの一次経路の論理チャネル識別情報とを含み、前記データ無線ベアラの前記一次経路が、前記少なくとも2つのアップリンクトンネルエンドポイントの第1のアップリンクトンネルエンドポイントに対応する、ステップとを含む方法。
【請求項８】
前記少なくとも2つのダウンリンクトンネルエンドポイントが前記少なくとも2つのアップリンクトンネルエンドポイントと1対1で対応する、請求項7に記載の方法。
【請求項９】
前記データ無線ベアラの前記重複モードが、前記データ無線ベアラについて、パケットデータコンバージェンスプロトコル(PDCP)層における1つのPDCPエンティティがRLC層における少なくとも2つの無線リンク制御(RLC)エンティティに対応し、前記PDCPエンティティ上のいくつかまたはすべてのデータが前記少なくとも2つのRLCエンティティ上で重複して送信される、請求項7または8に記載の方法。
【請求項１０】
前記CUが、パケットデータコンバージェンスプロトコル(PDCP)層の機能と無線リソース制御(RRC)層の機能とを実装するように構成され、前記DUが、物理(PHY)層の機能と、メディアアクセス制御(MAC)層の機能と、無線リンク制御(RLC)層の機能とを実装するように構成される、請求項7から9のいずれか一項に記載の方法。
【請求項１１】
前記一次経路の前記論理チャネル識別情報が、前記少なくとも2つのダウンリンクトンネルエンドポイントのうちの1つに対応する経路の論理チャネル識別情報である、請求項7から10のいずれか一項に記載の方法。
【請求項１２】
送信ユニットと受信ユニットとを備える中央ユニット(CU)であって、
前記送信ユニットが、第1のメッセージをDUに送信するように構成され、前記第1のメッセージが、データ無線ベアラの重複モードのための、前記CUと前記DUとの間のインターフェース上の少なくとも2つのアップリンクトンネルエンドポイントを示す情報を含み、
前記受信ユニットが、前記DUによって送信される第2のメッセージを受信するように構成され、前記第2のメッセージが、前記データ無線ベアラのための、前記CUと前記DUとの間の前記インターフェース上の少なくとも2つのダウンリンクトンネルエンドポイントを示す情報と、前記データ無線ベアラの一次経路の論理チャネル識別情報とを含み、前記データ無線ベアラの前記一次経路が、前記少なくとも2つのアップリンクトンネルエンドポイントの第1のアップリンクトンネルエンドポイントに対応する、CU。
【請求項１３】
前記少なくとも2つのダウンリンクトンネルエンドポイントが前記少なくとも2つのアップリンクトンネルエンドポイントと1対1で対応する、請求項12に記載のCU。
【請求項１４】
前記データ無線ベアラの前記重複モードが、前記データ無線ベアラについて、パケットデータコンバージェンスプロトコル(PDCP)層における1つのPDCPエンティティが無線リンク制御(RLC)層における少なくとも2つのRLCエンティティに対応し、前記PDCPエンティティ上のいくつかまたはすべてのデータが前記少なくとも2つのRLCエンティティ上で重複して送信される、請求項12または13に記載のCU。
【請求項１５】
前記CUが、パケットデータコンバージェンスプロトコル(PDCP)層の機能と無線リソース制御(RRC)層の機能とを実装するように構成され、前記DUが、物理(PHY)層の機能と、メディアアクセス制御(MAC)層の機能と、無線リンク制御(RLC)層の機能とを実装するように構成される、請求項12から14のいずれか一項に記載のCU。
【請求項１６】
前記一次経路の前記論理チャネル識別情報が、前記少なくとも2つのダウンリンクトンネルエンドポイントのうちの1つに対応する経路の論理チャネル識別情報である、請求項12から15のいずれか一項に記載のCU。
【請求項１７】
前記送信ユニットが、前記DUを介して前記データ無線ベアラの前記一次経路の前記論理チャネル識別情報を端末側デバイスに通知するようにさらに構成される、請求項12から16のいずれか一項に記載のCU。
【請求項１８】
受信ユニットと送信ユニットとを備える分散ユニット(DU)であって、
前記受信ユニットが、CUによって送信される第1のメッセージを受信するようにさらに構成され、前記第1のメッセージが、データ無線ベアラの重複モードのための、前記CUと前記DUとの間のインターフェース上の少なくとも2つのアップリンクトンネルエンドポイントを示す情報を含み、
前記送信ユニットが、第2のメッセージを前記CUに送信するように構成され、前記第2のメッセージが、前記データ無線ベアラのための、前記CUと前記DUとの間の前記インターフェース上の少なくとも2つのダウンリンクトンネルエンドポイントを示す情報と、前記データ無線ベアラの一次経路の論理識別情報とを含み、前記データ無線ベアラの前記一次経路が、前記少なくとも2つのアップリンクトンネルエンドポイントの第1のアップリンクトンネルエンドポイントに対応する、DU。
【請求項１９】
前記少なくとも2つのダウンリンクトンネルエンドポイントが前記少なくとも2つのアップリンクトンネルエンドポイントと1対1で対応する、請求項18に記載のDU。
【請求項２０】
前記データ無線ベアラの前記重複モードが、前記データ無線ベアラについて、パケットデータコンバージェンスプロトコル(PDCP)層における1つのPDCPエンティティが無線リンク制御(RLC)層における少なくとも2つのRLCエンティティに対応し、前記PDCPエンティティ上のいくつかまたはすべてのデータが前記少なくとも2つのRLCエンティティ上で重複して送信される、請求項18または19に記載のDU。
【請求項２１】
前記CUが、パケットデータコンバージェンスプロトコル(PDCP)層の機能と無線リソース制御(RRC)層の機能とを実装するように構成され、前記DUが、物理(PHY)層の機能と、メディアアクセス制御(MAC)層の機能と、無線リンク制御(RLC)層の機能とを実装するように構成される、請求項18から20のいずれか一項に記載のDU。
【請求項２２】
前記一次経路の前記論理識別情報が、前記少なくとも2つのダウンリンクトンネルエンドポイントのうちの1つに対応する経路の論理識別情報である、請求項18から21のいずれか一項に記載のDU。
【請求項２３】
請求項12から17のいずれか一項に記載の中央ユニット、CUと、請求項18から22のいずれか一項に記載の分散ユニット、DUとを備える通信システム。
【請求項２４】
コンピュータ記憶媒体であって、前記コンピュータ記憶媒体がプログラムコードを含み、前記プログラムコードが呼び出されると、請求項1から6のいずれか一項に記載の方法を実施する、コンピュータ記憶媒体。
【請求項２５】
コンピュータ記憶媒体であって、前記コンピュータ記憶媒体がプログラムコードを含み、前記プログラムコードが呼び出されると、請求項7から11のいずれか一項に記載の方法を実施する、コンピュータ記憶媒体。
【発明の詳細な説明】
【技術分野】
【０００１】
本出願は、参照により本明細書に組み込まれる、2018年1月12日に出願した先の中国特許出願第201810032653.6号に対する優先権を主張する。
【０００２】
本出願の実施形態は、無線通信の分野に関し、具体的には、CU-DUアーキテクチャにおける重複(duplication)モード通信処理技術に関する。
【背景技術】
【０００３】
無線通信システムにおいて、第3世代パートナーシッププロジェクト(the 3rd Generation Partnership Project、3GPP)組織によって定義された様々なプロトコル層において、無線ベアラ(radio bearer、RB)を使用することによって、アップリンクおよびダウンリンクを介して端末側デバイスとアクセスネットワーク側デバイスとの間で様々なタイプのデータが送信される。例えば、シグナリング無線ベアラ上で制御信号が送信され、またはデータ無線ベアラ上でサービスデータが送信される。これらのプロトコル層は、物理(physical、PHY)層、メディアアクセス制御(Media Access Control、MAC)層、無線リンク制御(Radio Link Control、RLC)層、パケットデータコンバージェンスプロトコル(Packet Data Convergence Protocol、PDCP)層、無線リソース制御(Radio Resource Control、RRC)層などを含む。
【０００４】
アクセスネットワーク側デバイスは、プロトコル層に従って、中央ユニット(central unit、CU)と分散ユニット(distributed unit、DU)とを含むアーキテクチャとしてさらに定義され得る。CUとDUとの間に制御プレーン接続およびユーザプレーン接続が存在する。ユーザプレーン接続は、ユーザプレーントンネル(user plane (UP) tunnel)とも呼ばれる。1つのユーザプレーントンネルは、CU上の1つのアップリンクトンネルエンドポイントとDU上の1つのダウンリンクトンネルエンドポイントとによって決定される。CUは、PDCP層の機能とRRC層の機能とを実装するように構成され、DUは、PHY層の機能と、MAC層の機能と、RLC層の機能とを実装するように構成される。
【０００５】
第5世代通信技術の発展に伴い、1つの無線ベアラについて、PDCP層における1つのPDCPエンティティは、RLC層における少なくとも2つのRLCエンティティに対応する。1つのPDCPエンティティ上のいくつかまたはすべてのデータは、少なくとも2つのRLCエンティティ上で重複して送信される。そのような処理モードは、重複と呼ばれる。1つの重複モードは、1つの無線ベアラに特有(specific to)である。
【０００６】
CU-DUアーキテクチャにおいて無線ベアラのための重複モードをどのように実装するかは、解決されるべき緊急の問題である。
【発明の概要】
【課題を解決するための手段】
【０００７】
本出願の実施形態は、重複モードにおいてCU-DU接続を確立するために、CU-DUアーキテクチャにおける重複モード通信処理方法を提供する。
【０００８】
本出願の実施形態の第1の態様は、以下の内容、すなわち、CUによってDUに第1のメッセージを送信するステップであって、第1のメッセージが、CUとDUとの間のインターフェース上にある、データ無線ベアラの重複モードのための少なくとも2つのアップリンクトンネルエンドポイントを示す情報を含む、ステップと、CUによって、DUによって送信される第2のメッセージを受信するステップであって、第2のメッセージが、CUとDUとの間のインターフェース上にある、データ無線ベアラのための少なくとも2つのダウンリンクトンネルエンドポイントを示す情報と、データ無線ベアラの一次経路の識別情報とを含む、ステップとを含む、CU-DUアーキテクチャにおける重複モード通信処理方法を提供する。一実装形態において、少なくとも2つのダウンリンクトンネルエンドポイントは、少なくとも2つのアップリンクトンネルエンドポイントと1対1で対応する。
【０００９】
第1の態様において提供される技術的解決策を適用することによって、アップリンクトンネルエンドポイントに関する情報とダウンリンクトンネルエンドポイントに関する情報とを交換することによってCUとDUとの間に少なくとも2つのユーザプレーントンネルを確立するプロセスにおいて、CUおよびDUが、どのユーザプレーントンネルが一次経路に対応しているかを学習し、一次経路と一次経路に対応するユーザプレーントンネルとの間の接続を確立することができるように、DUは、一次経路の識別情報をCUに提供する。このようにして、CUからDUへのデータ無線ベアラについて重複モードが実装される。
【００１０】
第1の態様において、第1のメッセージは、少なくとも2つのアップリンクトンネルエンドポイントを示す(少なくとも2つのユーザプレーントンネルを確立する必要性を示す)情報を含み、したがって、DUは、データ無線ベアラの重複モードを構成することをデフォルトで考慮することができる。
【００１１】
第1の態様において、CUまたはDUのいずれかが、どのユーザプレーントンネルが一次経路に対応するのかを決定することができるが、一次経路の識別情報は、第2のメッセージを使用することによってDUによってCUに通知される。
【００１２】
第1の態様に基づいて、第1の態様の第1の可能な実装形態において、第1のメッセージは、データ無線ベアラの重複モードを構成するように指示する情報をさらに含む。第1の可能な実装形態において提供される解決策を適用することによって、CUは、データ無線ベアラの重複モードが構成される必要があることをDUに明示的に指示するために第1のメッセージを使用する。
【００１３】
第1の態様または第1の態様の第1の可能な実装形態に基づいて、第1の態様の第2の可能な実装形態において、一次経路の識別情報は、第2のメッセージ内に含まれる情報によって示される、少なくとも2つのダウンリンクトンネルエンドポイントのうちの1つのみに対応する経路の識別情報である。第1の態様の第2の可能な実装形態において、DUは、1つのみのダウンリンクトンネルエンドポイントに対応する経路の識別情報を通知してもよく、したがって、1つのみのダウンリンクトンネルエンドポイントに対応する経路の識別情報は、一次経路の識別情報である。
【００１４】
第1の態様から第1の態様の第2の可能な実装形態までのいずれか1つに基づいて、第1の態様の第3の可能な実装形態において、
第1のメッセージは、一次経路に対応する少なくとも2つのアップリンクトンネルエンドポイントのうちのアップリンクトンネルエンドポイントを示す情報をさらに含み、または、第2のメッセージは、一次経路に対応する少なくとも2つのダウンリンクトンネルエンドポイントのうちのダウンリンクトンネルエンドポイントを示す情報をさらに含み、または、一次経路に対応する少なくとも2つのアップリンクトンネルエンドポイントのうちのアップリンクトンネルエンドポイントがプロトコルによって定義済みであり、一次経路に対応する少なくとも2つのダウンリンクトンネルエンドポイントのうちのダウンリンクトンネルエンドポイントがプロトコルによって定義済みである。
【００１５】
第1の態様の第3の可能な実装形態において、一次経路に対応するユーザプレーントンネルは、CUもしくはDUによって、またはプロトコルによって定義済みの方法で指定され得る。
【００１６】
第1の態様から第1の態様の第3の可能な実装形態までのいずれか1つに基づいて、第1の態様の第4の可能な実装形態において、方法は、CUによって、DUを介して端末側デバイスにデータ無線ベアラの一次経路の識別情報を通知するステップをさらに含む。
【００１７】
第1の態様の第4の可能な実装形態は、一次経路がCU、DU、および端末側デバイスについて決定されるように、端末側デバイスが一次経路を知ることを可能にする。
【００１８】
本出願の実施形態の第2の態様は、以下の内容、すなわち、CUによって、シグナリング無線ベアラの識別情報と、シグナリング無線ベアラの重複モードを構成するように指示するために使用される指示情報とをDUに送信するステップと、CUによって、DUによって送信される、シグナリング無線ベアラの重複モードの構成と、シグナリング無線ベアラの一次経路の識別情報とを受信するステップとを含む、CU-DUアーキテクチャにおける重複モード通信処理方法を提供する。
【００１９】
第2の態様によって提供される技術的解決策を適用することによって、DUは、CUがシグナリング無線ベアラの一次経路を知るように、CUの指示の下でシグナリング無線ベアラを構成することができる。
【００２０】
第2の態様に基づいて、第2の態様の第1の可能な実装形態において、方法は、CUによってCU-DUインターフェースメッセージをDUに送信するステップをさらに含み、ここで、
シグナリング無線ベアラの重複モードが非アクティブであるとき、CU-DUインターフェースメッセージは、シグナリング無線ベアラに属する1つのRRCメッセージを含み、
シグナリング無線ベアラの重複モードがアクティブであるとき、CU-DUインターフェースメッセージは、シグナリング無線ベアラに属する同じPDCPシリアル番号を有する少なくとも2つのRRCメッセージを含む。
【００２１】
第2の態様の第1の可能な実装形態は、重複モードがアクティブまたは非アクティブのときのCUによるRRCメッセージ送信の実装形態を提供する。
【００２２】
第2の態様に基づいて、第2の態様の第2の可能な実装形態において、方法は、CUによってCU-DUインターフェースメッセージをDUに送信するステップをさらに含み、ここで、CU-DUインターフェースメッセージは、少なくとも1つのRRCメッセージと、少なくとも1つのRRCメッセージの各々が送信される経路の識別情報とを含む。
【００２３】
第2の態様の第2の可能な実装形態は、CUによるRRCメッセージ送信の別の実装形態を提供し、DUは、RRCメッセージが送信される経路の識別情報に基づいて各RRCメッセージの送信を決定してもよい。
【００２４】
第2の態様に基づいて、第2の態様の第3の可能な実装形態において、方法は、
CUによって、シグナリング無線ベアラの一次経路の識別情報を、DUを介して端末側デバイスに通知するステップをさらに含む。
【００２５】
第2の態様の第3の可能な実装形態は、一次経路がCU、DU、および端末側デバイスについて決定されるように、端末側デバイスが一次経路を知ることを可能にする。
【００２６】
本出願の実施形態の第3の態様は、以下の内容、すなわち、DUによって、CUによって送信される第1のメッセージを受信するステップであって、第1のメッセージが、CUとDUとの間のインターフェース上にある、データ無線ベアラの重複モードのための少なくとも2つのアップリンクトンネルエンドポイントを示す情報を含む、ステップと、DUによって第2のメッセージをCUに送信するステップであって、第2のメッセージが、CUとDUとの間のインターフェース上にある、データ無線ベアラのための少なくとも2つのダウンリンクトンネルエンドポイントを示す情報と、データ無線ベアラの一次経路の識別情報とを含む、ステップとを含む、CU-DUアーキテクチャにおける重複モード通信処理方法を提供する。一実装形態において、少なくとも2つのダウンリンクトンネルエンドポイントは、少なくとも2つのアップリンクトンネルエンドポイントと1対1で対応する。
【００２７】
第3の態様は、第1の態様に対応し、第1の態様のものと同様の有益な効果を有する。
【００２８】
第3の態様に基づいて、第3の態様の第1の可能な実装形態において、第1のメッセージは、データ無線ベアラの重複モードを構成するように指示する情報をさらに含む。第3の態様の第1の可能な実装形態は、第1の態様の第1の可能な実装形態に対応し、第1の態様の第1の可能な実装形態のものと同様の有益な効果を有する。
【００２９】
第3の態様または第3の態様の第1の可能な実装形態に基づいて、第3の態様の第2の可能な実装形態において、一次経路の識別情報は、第2のメッセージ内に含まれる情報によって示される、少なくとも2つのダウンリンクトンネルエンドポイントのうちの1つのみに対応する経路の識別情報である。第3の態様の第2の可能な実装形態は、第1の態様の第2の可能な実装形態に対応し、第1の態様の第2の可能な実装形態のものと同様の有益な効果を有する。
【００３０】
第3の態様から第3の態様の第2の可能な実装形態までのいずれか1つに基づいて、第3の態様の第3の可能な実装形態において、第1のメッセージは、一次経路に対応する少なくとも2つのアップリンクトンネルエンドポイントのうちのアップリンクトンネルエンドポイントを示す情報をさらに含み、または、第2のメッセージは、一次経路に対応する少なくとも2つのダウンリンクトンネルエンドポイントのうちのダウンリンクトンネルエンドポイントを示す情報をさらに含み、または、一次経路に対応する少なくとも2つのアップリンクトンネルエンドポイントのうちのアップリンクトンネルエンドポイントがプロトコルによって定義済みであり、一次経路に対応する少なくとも2つのダウンリンクトンネルエンドポイントのうちのダウンリンクトンネルエンドポイントがプロトコルによって定義済みである。
【００３１】
第3の態様の第3の可能な実装形態は、第1の態様の第3の可能な実装形態に対応し、第1の態様の第3の可能な実装形態のものと同様の有益な効果を有する。
【００３２】
本出願の実施形態の第4の態様は、以下の内容、すなわち、DUによって、CUによって送信される、シグナリング無線ベアラの識別情報と、シグナリング無線ベアラの重複モードを構成するように指示するために使用される指示情報とを受信するステップと、DUによって、シグナリング無線ベアラの重複モードの構成と、シグナリング無線ベアラの一次経路の識別情報とをCUに送信するステップとを含む、CU-DUアーキテクチャにおける重複モード通信処理方法を提供する。
【００３３】
第4の態様は、第2の態様に対応し、第2の態様のものと同様の有益な効果を有する。
【００３４】
第4の態様に基づいて、第4の態様の第1の可能な実装形態において、方法は、
DUによって、CUによって送信されるCU-DUインターフェースメッセージを受信するステップをさらに含み、ここで、
シグナリング無線ベアラの重複モードが非アクティブであるとき、CU-DUインターフェースメッセージは、シグナリング無線ベアラに属する1つのRRCメッセージを含み、DUは、一次経路を介して1つのRRCメッセージを端末側デバイスに送信し、
シグナリング無線ベアラの重複モードがアクティブであるとき、CU-DUインターフェースメッセージは、シグナリング無線ベアラに属する同じPDCPシリアル番号を有する少なくとも2つのRRCメッセージを含み、DUは、それぞれ、一次経路および少なくとも1つの二次経路を介して、少なくとも2つのRRCメッセージを端末側デバイスに送信する。
【００３５】
第4の態様の第1の可能な実装形態は、第2の態様の第1の可能な実装形態に対応し、第2の態様の第1の可能な実装形態のものと同様の有益な効果を有する。
【００３６】
第4の態様に基づいて、第4の態様の第2の可能な実装形態において、方法は、
DUによって、CUによって送信されるCU-DUインターフェースメッセージを受信するステップをさらに含み、ここで、CU-DUインターフェースメッセージは、少なくとも1つのRRCメッセージと、少なくとも1つのRRCメッセージの各々が送信される経路の識別情報とを含む。
【００３７】
第4の態様の第2の可能な実装形態は、第2の態様の第2の可能な実装形態に対応し、第2の態様の第2の可能な実装形態のものと同様の有益な効果を有する。
【００３８】
第4の態様に基づいて、第4の態様の第3の可能な実装形態において、方法は、DUによって、CUによって送信されるCU-DUインターフェースメッセージを受信するステップをさらに含み、ここで、CU-DUインターフェースメッセージは、RRCメッセージを含み、ここで、
RRCメッセージのPDCPシリアル番号が重複している場合、DUは、二次経路を介してRRCメッセージを端末側デバイスに送信し、または、RRCメッセージのPDCPシリアル番号が重複していない場合、DUは、一次経路を介してRRCメッセージを端末側デバイスに送信する。
【００３９】
第4の第3の可能な実装形態を適用することによって、DUは、RRCメッセージを一次経路または二次経路のどちらに送信するかを決定するために、受信されたRRCメッセージのPDCPシリアル番号が重複しているかどうかを判定することができる。
【００４０】
本出願の実施形態の第5の態様は、アクセスネットワーク側デバイスを提供し、アクセスネットワーク側デバイスは、受信ユニットと送信ユニットとを含む。受信ユニットは、第1の態様、第2の態様、第3の態様、第4の態様、またはそれらの可能な実装形態における受信アクションを実行するように構成され、送信ユニットは、第1の態様またはその可能な実装形態における送信アクションを実行するように構成される。
【００４１】
第5の態様において提供されるアクセスネットワーク側デバイスは、独立型CUもしくは独立型DUであってもよく、または、CU内のチップシステムもしくはDU内のチップシステムであってもよい。チップシステムは、少なくとも1つのゲート回路からなるプロセッサと、少なくとも1つのゲート回路からなるメモリとを含む。各ゲート回路は、導線によって接続された少なくとも1つのトランジスタ(例えば、電界効果トランジスタ)を含む。各トランジスタは、半導体材料でできている。さらに、受信ユニットおよび送信ユニットは、それぞれ、特定の実装形態における受信回路および送信回路である。アクセスネットワーク側デバイスは、他の電子回線、例えば、受信回路と送信回路とを接続するために使用される回線、および信号送信のために使用される無線周波数アンテナをさらに含んでもよい。第5の態様において提供される技術的解決策は、前述の対応する実装形態のものと同等の技術的効果を有する。詳細については、前述の実装形態を参照されたい。
【００４２】
本出願の実施形態の第6の態様は、コンピュータ記憶媒体を提供する。コンピュータ記憶媒体は、プログラムコードを含み、プログラムコードは、第1の態様、第2の態様、第3の態様、第4の態様、またはそれらの可能な実装形態において提供される技術的解決策を実施するために使用される。第6の態様において提供される技術的解決策は、前述の対応する実装形態のものと同等の技術的効果を有する。詳細については、前述の実装形態を参照されたい。
【００４３】
本出願の実施形態の第7の態様は、通信システムを提供する。通信システムは、CUとDUとを含む。CUは、第1の態様、第2の態様、またはそれらの可能な実装形態における方法を実施するように構成され、DUは、第3の態様、第4の態様、またはそれらの可能な実装形態において提供される技術的解決策を実施するように構成される。第7の態様において提供される技術的解決策は、前述の対応する実装形態のものと同等の技術的効果を有する。詳細については、前述の実装形態を参照されたい。
【図面の簡単な説明】
【００４４】
【図１】本出願の一実施形態による、無線ベアラに特有の重複モードの概略アーキテクチャ図である。
【図２Ａ】本出願の一実施形態による、CU-DUアーキテクチャにおける重複モードの概略図である。
【図２Ｂ】本出願の一実施形態による、CU-DUアーキテクチャにおける重複モードの概略図である。
【図２Ｃ】本出願の一実施形態による、CU-DUアーキテクチャにおける重複モードの概略図である。
【図３Ａ】本出願の一実施形態による、CU-DUアーキテクチャにおける重複モードの他の概略図である。
【図３Ｂ】本出願の一実施形態による、CU-DUアーキテクチャにおける重複モードの他の概略図である。
【図３Ｃ】本出願の一実施形態による、CU-DUアーキテクチャにおける重複モードの他の概略図である。
【図４】本出願の一実施形態による、CU-DUアーキテクチャにおける重複モード通信処理方法の概略フローチャートである。
【図５】本出願の一実施形態による、CU-DUアーキテクチャにおける重複モード通信処理方法の概略フローチャートである。
【図６】本出願の一実施形態による、アクセスネットワーク側デバイスの概略構造図である。
【発明を実施するための形態】
【００４５】
図1に示す無線通信システムプロトコルスタックの概略アーキテクチャ図において、無線通信システムは、端末側デバイスとアクセスネットワーク側デバイスとを含む。
【００４６】
端末側デバイスは、独立型端末、または端末内のチップシステムであってもよい。ユーザ機器(user equipment、UE)または移動局(mobile station)とも呼ばれる端末は、携帯電話、ハンドヘルドインターネットオブシングスデバイス、ウェアラブルデバイス(wearable devices)などを含む。
【００４７】
アクセスネットワーク側デバイスは、独立型無線アクセスデバイス、または無線アクセスデバイス内のチップシステムであってもよい。無線アクセスデバイスは、基地局または無線ローカル・エリア・ネットワーク・アクセス・ポイントであってもよく、RRC層、PDCP層、RLC層、MAC層、PHY層などを含む。基地局は、2つのタイプ、すなわち、マクロ基地局(macro base station)およびスモール基地局に分類され得る。スモール基地局は、マイクロ基地局(micro base station)、ピコ基地局(pico base station)などにさらに分類される。無線ローカル・エリア・ネットワーク・アクセス・ポイントは、ルータ、スイッチなどであってもよい。無線ローカル・エリア・ネットワーク・アクセス・ポイントは、ワイヤレスフィディリティ(wireless fidelity、Wi-Fi)信号カバレッジを提供してもよい。
【００４８】
データを伝送するために、端末側デバイスとアクセスネットワーク側デバイスとの間に少なくとも1つの無線ベアラ(radio bearer、RB)が確立される。データは、シグナリングデータまたはサービスデータを含んでもよい。シグナリングデータ伝送のために主に使用される無線ベアラは、シグナリング無線ベアラ(signaling radio bearer、SRB)であり、サービスデータ伝送のために主に使用される無線ベアラは、データ無線ベアラ(data radio bearer、DRB)である。サービスデータは、拡張モバイルブロードバンド(enhanced mobile broadband、eMBB)データ、大容量マシンタイプ通信(massive machine-type communications、mMTC)データ、超高信頼性低遅延通信(ultra-reliable low-latency communications、URLLC)データなどを含む。
【００４９】
図1に示す無線通信システムアーキテクチャ図において、アップリンク伝送について、送信側が端末側デバイスであり、受信側がアクセスネットワーク側デバイスであり、ダウンリンク伝送について、送信側がアクセスネットワーク側デバイスであり、受信側が端末側デバイスである。
【００５０】
送信側と受信側との間の無線ベアラについて、無線ベアラの重複モードは、送信側と受信側との間のプロトコル層エンティティの対応するセットの構成を含む。プロトコル層エンティティのこのセットは、1つのPDCPエンティティと、PDCPエンティティに対応する少なくとも2つのRLCエンティティと、少なくとも2つのRLCエンティティに対応する少なくとも1つのMACエンティティと、少なくとも1つのMACエンティティに対応する少なくとも1つのPHYエンティティとを含む。シグナリング無線ベアラについて、プロトコル層エンティティのセットは、PDCPエンティティに対応する1つのRRCエンティティをさらに含む。オプションで、データ無線ベアラについて、プロトコル層エンティティのセットは、SDAP層において、PDCPエンティティに対応する1つのSDAP(Service Data Adaptation Protocol、SDAP)エンティティをさらに含んでもよい。
【００５１】
図1において、1つの無線ベアラの重複モードにおいて、各RLCエンティティとMACエンティティとの間に経路が確立される。経路を示すためにRLCエンティティの識別情報が使用されてもよい。対応して、RLCエンティティを示すために経路の識別情報が使用されてもよい。したがって、経路の識別情報およびRLCエンティティの識別情報は、交換可能である。いくつかの技術的文献において、重複モードにおける経路は、レッグ(leg)とも呼ばれる。
【００５２】
オプションで、1つの無線ベアラの重複モードにおいて、異なる経路は、異なる論理チャネル識別情報を有する異なる論理チャネル(logical channel)である。したがって、無線ベアラは、少なくとも2つの論理チャネルに対応する。2つの論理チャネルは、1つの論理チャネルグループ(logical channel group、LCG)または異なる論理チャネルグループに属してもよい。
【００５３】
オプションで、1つの無線ベアラの重複モードにおいて、少なくとも2つの経路が1つの論理チャネルに属し、同じ論理チャネル識別情報を有する。したがって、無線ベアラは、1つの論理チャネルに対応する。この場合、異なる経路間を区別するために、異なる経路は、同じ論理チャネル識別情報を有するが、異なる経路識別情報を有してもよい。
【００５４】
図1において、1つの無線ベアラの重複モードにおいて、送信端と受信端の両方が少なくとも1つのPDCPエンティティと、1つのPDCPエンティティに対応する第1のRLCエンティティと、1つのPDCPエンティティに対応する第2のRLCエンティティとを含む。第1のRLCエンティティは、第1の経路に対応し、第2のRLCエンティティは、第2の経路に対応する。送信端は、第1の経路に対応するセル1bまたはセルグループ1において第1の経路上のデータを受信端に送信し、受信端は、第1の経路に対応するセル1bまたはセルグループ1において、送信端によって送信される第1の経路上のデータを受信する。送信端は、第2の経路に対応するセル2bまたはセルグループ2において第2の経路上のデータを送信し、受信端は、第2の経路に対応するセル2bまたはセルグループ2において第2の経路上のデータを受信する。重複モードがアクティブにされた後、1つのPDCPからのデータが、送信端の第2のRLCエンティティおよび送信端の第1のRLCエンティティ上で重複して送信される。例えば、データを重複した後、PDCPエンティティは、データを重複して送信するために第1のRLCエンティティと第2のRLCエンティティの両方に送信し、または、第1のRLCエンティティおよび第2のRLCエンティティのうちの一方のRLCエンティティがデータを重複した後、一方のRLCエンティティおよび他方のRLCエンティティは、データを重複して送信する。
【００５５】
キャリアアグリゲーション技術がさらに導入されたCU-DUアーキテクチャにおいて、一次セルグループ(一次セルを含むセルセット)に対応する経路が一次経路であり、対応して一次経路上のRLCエンティティが一次RLCエンティティであり、二次セルグループ(少なくとも1つの二次セルのみを含むセルセット)に対応する経路が二次経路であり、対応して二次経路上のRLCエンティティが二次RLCエンティティである。
【００５６】
オプションで、アクセスネットワーク側デバイスは、端末側デバイスに送信される無線ベアラのPDCP構成に一次経路(primary path)情報要素を含めてもよく、一次経路情報要素は、セルグループ識別情報(CellGroupId)と、セルグループ識別情報に対応する経路識別情報とを含む。したがって、セルグループ識別情報によって示されるセルグループが一次セルグループであり、経路識別情報によって示される経路が一次経路である。一次経路情報要素において示されない経路が無線ベアラの二次経路であり、一次経路情報要素において示されないセルグループが二次セルグループである。
【００５７】
図2Aから図2Cおよび図3Aから図3Cにおいて示すように、アクセスネットワーク側デバイスがCU-DUアーキテクチャであるとき、PDCP層がCU内に位置し、RLC層、MAC層、およびPHY層がDU内に位置する。したがって、PDCP層からRLC層に送信される様々なデータがCUからDUに送信される。図2Aから図2Cにおいて、1つの無線ベアラの重複モードにおいて、少なくとも2つのRLCエンティティが1つのDU内に位置する。図3Aから図3Cにおいて、1つの無線ベアラの重複モードにおいて、少なくとも2つのRLCエンティティの2つのRLCエンティティが異なるDU内に位置する。
【００５８】
CUとDUとの間の接続は、SRB、DRB、およびユーザコンテキストセットアップのために使用されるCU-DU制御プレーン接続と、DRB上のサービスデータ伝送のために使用されるCU-DUユーザプレーン接続とを含む。汎用パケット無線サービス(General Packet Radio Service、GPRS)トンネルプロトコルの使用により、CU-DUユーザプレーン接続は、ユーザプレーントンネル(tunnel)とも呼ばれる。ユーザプレーントンネルは、アップリンクトンネルエンドポイントと、アップリンクトンネルエンドポイントと1対1で対応しているダウンリンクトンネルエンドポイントとの間の経路である。確立された後、ユーザプレーントンネルが、ユーザプレーントンネルのアップリンクトンネルエンドポイントまたはダウンリンクトンネルエンドポイントによって識別され得る。
【００５９】
アクセスネットワーク側デバイスがCU-DUアーキテクチャであるとき、DUからCUへの伝送は、アップリンク伝送であり、CUからDUへの伝送は、ダウンリンク伝送である。いくつかの技術文献において、CU-DU接続は、F1接続と呼ばれ、CU-DUユーザプレーン接続は、F1-U接続であり、CU-DU制御プレーン接続は、F1-C接続である。対応して、CUは、CUユーザプレーンとCU制御プレーンとを含み、CUユーザプレーンとCU制御プレーンとの間の接続は、いくつかの文献ではE1接続と呼ばれる。
【００６０】
オプションで、図3Aから図3Cにおいて、CUが無線ベアラの重複モードを構成することを決定したとき、CUは、無線ベアラについて重複モードがアクティブにされ得るか非アクティブにされ得るかを決定するように、無線ベアラの重複モードにおける少なくとも1つのRLCエンティティを含むDUに指示する。通知を受信したDUは、信号測定結果または他の情報に基づいて、無線ベアラの重複モードをアクティブにするかまたは非アクティブにするかを決定し、MAC層メッセージを使用することによって、無線ベアラの重複モードをアクティブまたは非アクティブにするように端末側デバイスに指示する。
【００６１】
オプションで、図3Aから図3Cにおいて、CUが無線ベアラの重複モードをアクティブにするかまたは非アクティブにするかを決定したとき、CUは、無線ベアラの重複モードがアクティブまたは非アクティブにされることを、無線ベアラの重複モードにおけるRLCエンティティを含む(例えば、少なくともDU1とDU2とを含む)すべてのDUに通知する。
【００６２】
オプションで、図3Aから図3Cにおいて、DUが無線ベアラの重複モードをアクティブにするかどうかを決定したとき、DUは、無線ベアラの重複モードがアクティブまたは非アクティブにされることを、CU、および他のRLCエンティティを含む他のDUに通知する。
【００６３】
本出願の以下の実施形態において、データ無線ベアラの重複モードがCU-DUにおいてどのように実施されるか、および、シグナリング無線ベアラの重複モードがCU-DUにおいてどのように実施されるかについて、別々に説明する。
【００６４】
本出願の第1の実施形態は、CU-DUアーキテクチャにおけるデータ無線ベアラ(DRB)の重複モードシナリオに適用される、CU-DUアーキテクチャにおける通信処理方法を提供する。図4は、通信処理方法の概略フローチャートである。本出願の第1の実施形態は、以下の内容を含む。
【００６５】
401.CUが第1のメッセージをDUに送信し、ここで、第1のメッセージは、データ無線ベアラの重複モードのための、CUとDUとの間のインターフェース上にある少なくとも2つのアップリンクトンネルエンドポイントを示す情報を含む。
【００６６】
CUは、データ無線ベアラの重複モードが構成されるべきであると判定してもよく、第1のメッセージ(例えば、UEコンテキストセットアップ/変更要求)をCU-DUインターフェース上のDUに送信する。CUは、少なくとも2つのアップリンクトンネルエンドポイントを示す情報と、データ無線ベアラの識別情報とを第1のメッセージ内に入れてもよい。少なくとも2つのアップリンクトンネルエンドポイントを示す情報は、少なくとも2つのアップリンクトンネルエンドポイントの各々のアドレス、例えば、インターネットプロトコル(Internet Protocol、IP)アドレスと、少なくとも2つのアップリンクトンネルエンドポイントの各々の識別情報、例えば、トンネルエンドポイント識別情報(tunnel endpoint identifier、TEID)とを含む。
【００６７】
オプションの実装形態において、CU-DUインターフェースにおける第1のメッセージの構造は、以下の通りである。
UE context setup/modification request (UE context setup/modification request)
{…
DRBs to be setup list (DRBs to be setup list)
>DRB ID (DRB ID)
>Tunnels to be setup list (Tunnels to be setup list)
>>Tunnels setup Item IEs (Tunnels setup Item IEs)
>>>PathIdentity (PathIdentity)  Optional (Optional) or mandatory (Mandatory)
>>>UL Tunnel Endpoint (UL Tunnel Endpoint)    Mandatory
…}
【００６８】
402.CUは、DUによって送信される第2のメッセージを受信し、ここで、DUによって送信される第2のメッセージは、CUとDUとの間のインターフェース上にある、データ無線ベアラのための少なくとも2つのダウンリンクトンネルエンドポイントを示す情報と、データ無線ベアラの一次経路の識別情報とを含む。一実装形態において、少なくとも2つのダウンリンクトンネルエンドポイントは、少なくとも2つのアップリンクトンネルエンドポイントと1対1で対応している。
【００６９】
DUが第1のメッセージを受信した後、単一のデータ無線ベアラの識別情報が第1のメッセージ内の少なくとも2つのアップリンクトンネルエンドポイントを示す情報に対応するので、DUは、第1のメッセージから、データ無線ベアラの重複モードが設定される必要があることを知ることができる。オプションで、第1のメッセージは、指示情報をさらに搬送してもよく、ここで、指示情報は、データ無線ベアラの重複モードが構成される必要があることを明示的に指示する。DUは、第1のメッセージの指示から、データ無線ベアラの重複モードが構成される必要があることを知る。
【００７０】
402において、DUは、データ無線ベアラの重複モードのための、CUとDUとの間のインターフェース上の少なくとも2つのCU-DUユーザプレーントンネルを確立するために、CU-DUインターフェース上のCUに第2のメッセージ(例えば、UEコンテキストセットアップ/変更応答)を送信する。一実装形態において、DUは、少なくとも2つのダウンリンクトンネルエンドポイントを示す情報を第2のメッセージ内に入れてもよく、ここで、少なくとも2つのダウンリンクトンネルエンドポイントは、少なくとも2つのアップリンクトンネルエンドポイントと1対1で対応している。少なくとも2つのダウンリンクトンネルエンドポイントを示す情報は、少なくとも2つのダウンリンクトンネルエンドポイントのアドレス(例えば、インターネットプロトコルアドレス)と、少なくとも2つのダウンリンクトンネルエンドポイントの各々の識別情報(例えば、TEID)とを含む。CU-DUユーザプレーントンネルエンドポイントをDU上の少なくとも2つのRLCエンティティにそれぞれ対応する経路にさらに対応させるために、第2のメッセージは、少なくとも2つのダウンリンクトンネルエンドポイントのうちの少なくとも1つの各々に対応する経路の識別情報を含む情報をさらに含む。オプションで、第2のメッセージは、少なくとも2つのダウンリンクトンネルエンドポイントのうちの少なくとも1つの各々に対応する経路に対応するセルグループを示す情報をさらに含む。このようにして、CUは、重複モードにおけるアップリンクトンネルエンドポイント、ダウンリンクトンネルエンドポイント、経路、およびセルグループの任意の組合せの間の対応関係を知ることができる。
【００７１】
可能な実装形態において、CUの制御プレーンが、データ無線ベアラの重複モードが構成される必要があると決定した後、CUの制御プレーンは、少なくとも2つのアップリンクトンネルエンドポイントを示す情報を構成し、情報を第1のメッセージ内に入れ、CU-DU制御プレーン接続を介して第1のメッセージをDUに送信する。CUの制御プレーンは、少なくとも2つのアップリンクトンネルエンドポイントを示す情報をCUのユーザプレーンにさらに送信する。
【００７２】
別の可能な実装形態において、CUのユーザプレーンが、データ無線ベアラの重複モードが構成される必要があると決定したとき、CUのユーザプレーンは、少なくとも2つのアップリンクトンネルエンドポイントに関する情報を割り当て、少なくとも2つのアップリンクトンネルエンドポイントに関する情報をCUの制御プレーンに送信する。CUの制御プレーンは、少なくとも2つのアップリンクトンネルエンドポイントを示す情報を第1のメッセージ内に入れ、CU-DU制御プレーン接続を介して第1のメッセージを送信する。さらに、CUの制御プレーンが、第2のメッセージにおいてDUによって通知された、少なくとも2つのダウンリンクトンネルエンドポイントに関する情報を受信した後、制御プレーンは、少なくとも2つのダウンリンクトンネルエンドポイントを示す情報をCUのユーザプレーンに通知する。オプションで、CUの制御プレーンは、CU-DU制御プレーンインターフェース上で、DUによって送信される第2のメッセージを受信する。
【００７３】
401および402を通して、1つのアップリンクトンネルエンドポイントと1つの対応するダウンリンクトンネルエンドポイントとの間の1つのユーザプレーントンネルが、CUとDUとの間に確立される。重複モードにおいて、少なくとも2つのユーザプレーントンネルがCUとDUとの間に確立される。
【００７４】
オプションで、第2のメッセージは、少なくとも2つのダウンリンクトンネルエンドポイントのうちの特定の1つが属するユーザプレーントンネルが一次経路に対応し、他のユーザプレーントンネルが二次経路に対応するように、一次経路がこの特定の1つのダウンリンクトンネルエンドポイントに対応することを示す情報を含む。例えば、DUは、第2のメッセージにおいて、データ無線ベアラに対応するダウンリンクトンネルエンドポイント1とデータ無線ベアラに対応するダウンリンクトンネルエンドポイント2とを示し、ダウンリンクトンネルエンドポイント1に関連付けられた経路識別情報を示す。したがって、ダウンリンクトンネルエンドポイント1に関連付けられた経路識別情報は、一次経路の識別情報である。この場合、特定の1つのダウンリンクトンネルエンドポイントは、一次トンネルエンドポイントと呼ばれる場合がある。重複モードが非アクティブにされたとき、CUおよびDUは、他のトンネルエンドポイントに対応する経路を介して他のトンネルエンドポイント上でサービスデータを送信するのではなく、一次トンネルエンドポイントに対応する一次経路を介して一次トンネルエンドポイント上でサービスデータを送信する。
【００７５】
401と402とを置き換える代替実装形態において、一次経路は、CUによって決定され、DUに送信されるべき第1のメッセージ内に示され得る。この場合、第2のメッセージは、一次経路の識別情報を搬送しなくてもよい。一次経路の識別情報が第1のメッセージ内または第2のメッセージ内のどちらに入れるかどうかにかかわらず、それは、CUにとって明らかであり、DUは、どのユーザプレーントンネルが一次経路に対応するかを知っている。このようにして、ユーザプレーントンネルと一次経路との間の接続が重複モードにおいて確立される。対応して、別のユーザプレーントンネルと二次経路との間の接続が確立されてもよい。
【００７６】
第2のメッセージは、少なくとも2つのダウンリンクトンネルエンドポイントにそれぞれ対応する少なくとも2つの経路の識別情報を含んでもよい。少なくとも2つの経路の識別情報は、一次経路の識別情報を含む。CUに少なくとも2つの経路のうちのどれが一次経路であるのかを知らせるために、第2のメッセージは、少なくとも2つの経路の識別情報を含むだけでなく、どの経路が一次経路であるのかも具体的に示す。
【００７７】
オプションで、第2のメッセージは、少なくとも2つのダウンリンクトンネルエンドポイントのうちの特定の1つに対応する経路の識別情報を含んでもよい。この場合、第2のメッセージにおいて、1つのみのダウンリンクトンネルエンドポイントが経路に対応するので、CUは、このダウンリンクトンネルエンドポイントに対応する経路が一次経路であることを知ることができる。オプションで、第2のメッセージは、ダウンリンクトンネルエンドポイントに対応する経路の識別情報が一次経路の識別情報であることを明示的に示してもよい。
【００７８】
オプションで、一次経路に対応する少なくとも2つのダウンリンクトンネルエンドポイントのうちのどれか、または少なくとも2つのアップリンクトンネルエンドポイントのうちのどれかが、プロトコルによって事前定義される。1つの可能な実装形態において、どの他のトンネルエンドポイントに対応する経路も示すことなく、少なくとも2つのアップリンクトンネルエンドポイントのうちの特定の1つ、または特定の1つのダウンリンクトンネルエンドポイントが経路に対応するように事前定義される。この場合、CUおよびDUは、プロトコル事前定義から、事前定義されたアップリンクトンネルエンドポイントまたは事前定義されたダウンリンクトンネルエンドポイントに対応する経路が一次経路であることを知る。別の可能な実装形態において、第2のメッセージは、少なくとも2つのダウンリンクトンネルエンドポイントのすべてにそれぞれ対応する経路の識別情報を示し、CUおよびDUは、プロトコル事前定義から、事前定義されたダウンリンクトンネルエンドポイントに対応する経路が一次経路であることを知る。
【００７９】
可能な実装形態において、第1のメッセージ内のデータ無線ベアラ識別情報に対応するセットアップされるべきトンネルのリスト内に最初に現れるアップリンクトンネルエンドポイントが一次経路に対応する。例えば、リストは、アップリンクトンネルエンドポイント1とアップリンクトンネルエンドポイント2とを含み、したがって、アップリンクトンネルエンドポイント1が一次経路に対応する。DUが第2のメッセージを送信したとき、セットアップされるべきトンネルのリスト内に最初に現れるダウンリンクトンネルエンドポイントと、第1のメッセージ内に最初に現れるアップリンクトンネルエンドポイントとを使用することによって第1のユーザプレーントンネルが確立され、ここで、ユーザプレーントンネルは、一次経路に対応する。例えば、DUは、第2のメッセージにおいて、データ無線ベアラの識別情報がダウンリンクトンネルエンドポイント1およびダウンリンクトンネルエンドポイント2に対応することを示す。ダウンリンクトンネルエンドポイント1およびアップリンクトンネルエンドポイント1は、第1のユーザプレーントンネルを実装し、このユーザプレーントンネルは、一次経路と関連付けられる。言い換えれば、ダウンリンクトンネルエンドポイント1に対応する経路識別情報が一次経路の識別情報である。例えば、ダウンリンクトンネルエンドポイント識別情報1は、論理チャネル識別情報1に対応し、したがって、論理チャネル識別情報1は、一次経路の識別情報である。
【００８０】
オプションで、CUは、第1のメッセージにおいて、少なくとも2つのアップリンクトンネルエンドポイントのどれが一次経路に対応する必要があるかを示してもよい(しかし、CUは、そのとき一次経路の識別子を知らない)。例えば、CUは、アップリンクトンネルエンドポイント1が一次経路に対応することを指定する。次いで、DUは、アップリンクトンネルエンドポイント1が一次経路に対応することを必要とすることを知り、したがって、アップリンクトンネルエンドポイント1に対応する一次経路の識別情報は、第2のメッセージ内に示される。例えば、DUは、ダウンリンクトンネルエンドポイント1に関する情報とダウンリンクトンネルエンドポイント2に関する情報とを第2のメッセージに含める。ダウンリンクトンネルエンドポイント1は、アップリンクトンネルエンドポイント1に対応し、したがって、ユーザプレーントンネル1が確立される。ダウンリンクトンネルエンドポイント2は、アップリンクトンネルエンドポイント2に対応し、したがって、ユーザプレーントンネル2が確立される。DUは、CUの識別情報から、アップリンクトンネルエンドポイント1に対応するダウンリンクトンネルエンドポイント1が一次経路に対応する必要があることを知り、一次経路の識別情報をダウンリンクトンネルエンドポイント1にさらに関連付け、一次経路の識別情報を第2のメッセージ内に入れ、CUが一次経路の識別情報を知るように、第2のメッセージをCUに送信する。例えば、CUは、ダウンリンクトンネルエンドポイント1がアップリンクトンネルエンドポイント1に対応し、ダウンリンクトンネルエンドポイント1に関連付けられた経路の識別情報が一次経路の識別情報であることを知るために、第2のメッセージを構文解析する。
【００８１】
オプションで、DUは、少なくとも2つのダウンリンクトンネルエンドポイントのうちのどれが一次経路に対応する必要があるかを判定してもよく、第2のメッセージにおいて、少なくとも2つのダウンリンクトンネルエンドポイントのうちの一次経路に対応するダウンリンクトンネルエンドポイントを示す。例えば、DUは、データ無線ベアラに対応するダウンリンクトンネルエンドポイント1とダウンリンクトンネルエンドポイント2とを第2のメッセージに含め、ダウンリンクトンネルエンドポイント1が一次経路であることを示す。このとき、ダウンリンクトンネルエンドポイント1に関連付けられた経路の識別情報が一次経路の識別情報である。
【００８２】
オプションで、方法は、403をさらに含み、CUは、DUを介してデータ無線ベアラの一次経路の識別情報を端末側デバイスに通知する。CUは、一次経路に対応するセルグループ(すなわち、一次セルグループ)の識別情報を端末側デバイスにさらに通知してもよい。403においてCUによって通知される内容は、データ無線ベアラのPDCP構成内で搬送されてもよい。PDCP構成を受信した後、DUは、PDCP構成を端末側デバイスにパススルーする。CUがCUの制御プレーンとCUのユーザプレーンとを含むとき、CUの制御プレーンがPDCP層構成を完成してもよく、または、CUのユーザプレーンがPDCP層構成を完成し、PDCP層構成をCUの制御プレーンに通知してもよい。
【００８３】
例えば、CUは、DUによって送信される第2のメッセージ内に含まれるセルグループ構成(CellGroupConfig)を取得し、構成からセルグループ識別情報(CellGroupId)を取得する。具体的には、セルグループ識別情報は、第2のメッセージ内の個別の情報要素を提示されてもよく、したがって、CUは、セルグループ構成を読み取ることによってセルグループを取得する必要はない。CUは、一次経路の識別情報、例えば、一次経路の論理チャネル識別情報を取得するために前述の方法を使用する。CUは、セルグループの識別情報と一次経路の識別情報とをPDCP構成に追加する。
【００８４】
オプションで、CUの制御プレーンは、取得したセルグループ識別情報と一次経路の識別情報とを、対応するデータ無線ベアラ識別情報とともにCUのユーザプレーンに送信する。CUのユーザプレーンは、セルグループ識別情報と一次経路の識別情報とをPDCP構成に書き込む。CUのユーザプレーンは、CUの制御プレーンがDUを介して端末側デバイスにPDCP構成を送信するように、CUの制御プレーンにPDCP構成を送信する。
【００８５】
一例において、CUは、端末側デバイスのDRB1の重複モードを構成することを決定する。次いで、DRB1に関するCUとDU1との間に1つのユーザプレーントンネルが確立され、DRB1に関するCUとDU2との間に1つのユーザプレーントンネルが確立される。CUは、DU1またはDU2がMAC層メッセージを使用することによって端末側デバイスに重複モードをアクティブまたは非アクティブにするようにさらに指示するように、重複モードがDRB1に対して構成されることをDU1およびDU2に通知してもよい。
【００８６】
本出願の第1の実施形態において提供される技術的解決策によれば、アップリンクトンネルエンドポイントと、ダウンリンクトンネルエンドポイントと、経路との間の対応関係が重複モードにおいて確立され、一次経路を決定する方法が明示的に指定される。このようにして、CU-DUアーキテクチャにおけるデータ無線ベアラに対して重複モードが実施される。
【００８７】
本出願の第2の実施形態は、CU-DUアーキテクチャにおけるシグナリング無線ベアラ(SRB)の重複モードシナリオに適用される、CU-DUアーキテクチャにおける通信処理方法を提供する。図5は、通信処理方法の概略フローチャートである。本出願の第2の実施形態は、以下の内容を含む。
【００８８】
501.CUが、シグナリング無線ベアラの識別情報と、シグナリング無線ベアラの重複モードを構成するように指示するために使用される指示情報とをDUに送信する。
【００８９】
501において、CUは、シグナリング無線ベアラの重複モードが構成される必要があることを決定し、第3のメッセージ(例えば、UEコンテキストセットアップ/変更要求)を生成し、シグナリング無線ベアラの識別情報を、第3のメッセージと、シグナリング無線ベアラの重複モードを構成するように指示する指示情報とに含める。例えば、第3のメッセージにおいて、CUは、DUにSRB1とSRB2とを確立するように指示し、DUにSRB1の重複モードを構成するように指示する。オプションで、CUは、DUがアクティブ時間内にシグナリング無線ベアラをアクティブにするように、シグナリング無線ベアラのアクティブ時間をさらに示してもよい。
【００９０】
502.CUは、DUによって送信される、シグナリング無線ベアラの重複モードの構成とシグナリング無線ベアラの一次経路の識別情報とを受信する。
【００９１】
オプションで、DUによって送信される重複モードの構成は、シグナリング無線ベアラの少なくとも2つの経路の識別情報を含む。
【００９２】
オプションで、シグナリング無線ベアラの少なくとも2つの識別情報、またはシグナリング無線ベアラの一次経路の識別情報は、502においてDUによって決定され、DUからCUに通知されてもよく、または、501においてCUによって決定され、CUからDUに通知されてもよい。
【００９３】
502において、DUは、シグナリング無線ベアラの重複モードを確立するために、第4のメッセージ(例えば、UEコンテキストセットアップ/変更応答)を生成し、RLC層、MAC層、およびPHY層におけるシグナリング無線ベアラの重複モードの構成を第4のメッセージ内に入れ、シグナリング無線ベアラの少なくとも2つの経路の識別情報も入れる。重複モードの構成は、シグナリング無線ベアラの各経路に対応するセルグループの識別情報をさらに含む。第4のメッセージは、シグナリング無線ベアラの一次経路に対応するセルグループ(すなわち、一次セルグループ)の識別情報をさらに含む。例えば、DUは、セルグループ構成(CellGroupConfig)を第4のメッセージに含め、セルグループ構成は、シグナリング無線ベアラの少なくとも2つの経路の識別情報を含む。第4のメッセージは、一次経路の識別情報をさらに含んでもよく、一次経路の識別情報は、第4のメッセージ内の個々の情報要素として提示される。
【００９４】
例えば、CUは、DUによって送信される第2のメッセージ内に含まれるセルグループ構成を取得し、セルグループ構成からセルグループ識別情報を取得する。具体的には、セルグループ識別情報は、第2のメッセージ内の個別の情報要素として提示されてもよく、したがって、CUは、セルグループ構成を読み取ることなくセルグループ識別情報を取得する。加えて、CUは、一次経路の識別情報、例えば、一次経路の論理チャネル識別情報を取得するために前述の方法を使用する。CUは、セルグループ識別情報と一次経路の識別情報とをPDCP構成に追加する。CUは、無線ベアラ構成(RadioBearerConfig)を生成し、ここで、無線ベアラ構成は、PDCP構成を含む。最後に、CUは、無線ベアラ構成と、DUによって送信されるセルグループ構成とを含むRRC再構成メッセージを生成する。CUは、DUを介してRRC再構成メッセージをUEに転送する。シグナリング無線ベアラの重複モードが501および502において(オプションで、重複モードのアクティブ時間内に)構成された後、重複モードは、アクティブにされる。CUは、生成されたRRCメッセージをPDCP層において重複させ、次いで、重複したRRCメッセージをDUに送信してもよい。重複モードの構成が無効であるか、重複モードのアクティブ時間が終了した後、重複モードは、非アクティブになり、CUは、もはやいかなる生成されたRRCメッセージも重複させない。
【００９５】
したがって、501および502に基づいて、方法は、503をさらに含み、ここで、CUは、以下のいくつかの可能な方法において、RRCメッセージをDUに送信する。
【００９６】
503A.CUは、第5のメッセージをDUに送信し、ここで、シグナリング無線ベアラの重複モードが非アクティブであるとき、第5のメッセージは、シグナリング無線ベアラに属する1つのRRCメッセージを含み、または、シグナリング無線ベアラの重複モードがアクティブであるとき、第5のメッセージは、シグナリング無線ベアラに属する同じPDCPシリアル番号を有する少なくとも2つのRRCメッセージを含む。
【００９７】
503Aにおいて、CU-DUインターフェースにおいてDUによって受信されるメッセージが1つのみのRRCメッセージを含む場合、例えば、DL RRCメッセージ転送メッセージが1つのみのRRCメッセージを含む場合、DUは、少なくとも2つの経路のうちの任意の1つ(例えば、一次経路)を介して1つのみのRRCメッセージを端末側デバイスに送信する。CU-DU制御プレーンインターフェースにおいてDUによって受信されるメッセージが同じPDCPシリアル番号を有する少なくとも2つのRRCメッセージを含む場合、DUは、それぞれ少なくとも2つの経路を介して少なくとも2つのRRCメッセージを端末側デバイスに送信する。
【００９８】
503B.CUは、第5のメッセージをDUに送信し、ここで、第5のメッセージは、少なくとも1つのRRCメッセージと、少なくとも1つのRRCメッセージの各々が送信される経路の識別情報とを含む。
【００９９】
503Bにおいて、CUは、DUが、CUによって示される経路識別情報に基づいて、RRCメッセージが送信される経路を介して各RRCメッセージを端末側デバイスに送信するように、各RRCメッセージが送信される経路の識別情報を示してもよい。
【０１００】
503C.CUは、第5のメッセージをDUに送信し、ここで、第5のメッセージは、RRCメッセージを含む。DUは、RRCメッセージのPDCPシリアル番号が重複しているかどうかを判定する。PDCPシリアル番号が重複している場合、DUは、二次経路を介してRRCメッセージを端末側デバイスに送信する。PDCPシリアル番号が重複していない場合、DUは、一次経路を介してRRCメッセージを端末側デバイスに送信する。
【０１０１】
503Cにおいて、DUは、DUが特定のRRCメッセージを受信したとき、DUが、特定のRRCメッセージのPDCPシリアル番号が重複しているかどうかを決定するために、記録されたPDCPシリアル番号との比較を行うように、CUによって受信される各RRCメッセージのPDCPシリアル番号を記録してもよい。
【０１０２】
さらに、端末側デバイスに重複モードの構成を知らせるために、CUは、DUから取得される重複モードの構成に基づいて、端末側デバイスに送信されるべき重複モードの構成情報をさらに生成してもよい。方法は、以下をさらに含む。CUは、DUを介して重複モードの構成情報を端末側デバイスに送信し、ここで、重複モードの構成情報は、以下のオプション、すなわち、シグナリング無線ベアラの少なくとも2つの経路の識別情報、シグナリング無線ベアラの一次経路の識別情報のうちの少なくとも1つを含む。シグナリング無線ベアラの一次経路の識別情報は、重複モードのPDCP層構成の一部として使用されてもよい。オプションで、重複モードの構成情報は、重複モードのRLC層構成、MAC層構成、およびPHY層構成などをさらに含む。
【０１０３】
本出願の第2の実施形態において提供される技術的解決策において、CUは、DUにシグナリング無線ベアラを構成するように指示し、それによって、DUによって作られるシグナリング無線ベアラの構成を取得する。このようにして、CU-DUアーキテクチャにおけるシグナリング無線ベアラに対して重複モードが実施される。
【０１０４】
本出願の第3の実施形態は、アクセスネットワーク側デバイスを提供する。図6に示すアクセスネットワーク側デバイスの概略構造図において、アクセスネットワーク側デバイスは、受信ユニット601と送信ユニット602とを含む。
【０１０５】
アクセスネットワーク側デバイスは、第1の実施形態におけるCU、またはCU内のチップであってもよい。送信ユニット602は、第1のメッセージをDUに送信するように構成され、ここで、第1のメッセージは、CUとDUとの間のインターフェース上にある、データ無線ベアラの重複モードのための少なくとも2つのアップリンクトンネルエンドポイントを示す情報を含む。受信ユニット601は、DUによって送信される第2のメッセージを受信するように構成され、ここで、第2のメッセージは、CUとDUとの間のインターフェース上にある、データ無線ベアラのための少なくとも2つのダウンリンクトンネルエンドポイントを示す情報と、データ無線ベアラの一次経路の識別情報とを含む。一実装形態において、少なくとも2つのダウンリンクトンネルエンドポイントは、少なくとも2つのアップリンクトンネルエンドポイントと1対1で対応する。この場合、受信ユニット601および送信ユニット602は、それぞれ第1の実施形態におけるCUの受信アクションと送信アクションとを実行してもよい。詳細について、第1の実施形態におけるCUのアクションを参照されたい。詳細について本明細書では再び説明しない。
【０１０６】
アクセスネットワーク側デバイスは、第1の実施形態におけるDU、またはDU内のチップであってもよい。受信ユニット601は、CUによって送信される第1のメッセージを受信するように構成され、ここで、第1のメッセージは、CUとDUとの間のインターフェース上にある、データ無線ベアラの重複モードのための少なくとも2つのアップリンクトンネルエンドポイントを示す情報を含み、送信ユニット602は、CUとDUとの間のインターフェース上にある、データ無線ベアラのための少なくとも2つのダウンリンクトンネルエンドポイントを示す情報と、データ無線ベアラの一次経路の識別情報とを含む。一実装形態において、少なくとも2つのダウンリンクトンネルエンドポイントは、少なくとも2つのアップリンクトンネルエンドポイントと1対1で対応する。この場合、受信ユニット601および送信ユニット602は、それぞれ第1の実施形態におけるDUの受信アクションと送信アクションとを実行してもよい。詳細について、第1の実施形態におけるDUのアクションを参照されたい。詳細について本明細書では再び説明しない。
【０１０７】
アクセスネットワーク側デバイスは、第2の実施形態におけるCU、またはCU内のチップであってもよい。送信ユニット602は、シグナリング無線ベアラの識別情報と、シグナリング無線ベアラの重複モードを構成するように指示するために使用される指示情報とをDUに送信するように構成され、受信ユニット601は、DUによって送信されるシグナリング無線ベアラの重複モードの構成とシグナリング無線ベアラの一次経路の識別情報とを受信するように構成される。この場合、受信ユニット601および送信ユニット602は、それぞれ第2の実施形態におけるCUの受信アクションと送信アクションとを実行してもよい。詳細について、第2の実施形態におけるCUのアクションを参照されたい。詳細について本明細書では再び説明しない。
【０１０８】
アクセスネットワーク側デバイスは、第2の実施形態におけるDU、またはDU内のチップであってもよい。受信ユニット601は、CUによって送信される、シグナリング無線ベアラの識別情報と、シグナリング無線ベアラの重複モードを構成するように指示するために使用される指示情報とを受信するように構成され、送信ユニット602は、シグナリング無線ベアラの重複モードの構成と、シグナリング無線ベアラの一次経路の識別情報とをCUに送信するように構成される。この場合、受信ユニット601および送信ユニット602は、それぞれ第2の実施形態におけるDUの受信アクションと送信アクションとを実行してもよい。詳細について、第2の実施形態におけるCUのアクションを参照されたい。詳細について本明細書では再び説明しない。
【０１０９】
具体的な実装形態において、受信ユニット601および送信ユニット602は、それぞれ受信回路および送信回路である。アクセスネットワーク側デバイスは、前述のメッセージの生成および処理を実施するために、例えば、少なくとも1つのプロセッサ(processor)の形態における処理回路をさらに含んでもよい。アクセスネットワーク側デバイスは、他の電子回線、例えば、受信回路と受信回路とを接続するために使用される回線をさらに含んでもよい。アクセスネットワーク側デバイスがDUであるとき、様々な情報を端末側デバイスに送信するために、無線周波数アンテナをさらに含んでもよい。
【０１１０】
別の具体的な実装形態において、アクセスネットワーク側デバイスは、プロセッサとメモリとを含んでもよい。メモリは、コードを記憶し、コードがプロセッサによって呼び出されると、前述の方法の実施形態においてCUまたはDUによって実行される方法が実行され得る。具体的には、コードは、複数のデータ構造を含み、各データ構造は、前述のプロトコル層の機能を実装するために使用される。アクセスネットワーク側デバイスがCU、CUの制御プレーンデバイス、CUのユーザプレーンデバイス、またはCU内のチップであるとき、コード内に含まれるデータ構造は、少なくともPDCP層の機能を実装するために使用される。この場合、受信ユニット601は、データ構造の入力インターフェースであってもよく、送信ユニット602は、データ構造の出力インターフェースである。アクセスネットワーク側デバイスがDU、DUの制御プレーンデバイス、DUのユーザプレーンデバイス、またはDU内のチップであるとき、コード内に含まれるデータ構造は、少なくともRLC層の機能を実装するために使用される。受信ユニット601は、データ構造の入力インターフェースであってもよく、送信ユニットは、データ構造の出力インターフェースである。
【０１１１】
当業者は、本発明の実施形態が方法、システム、またはコンピュータプログラム製品として提供され得ることを理解すべきである。したがって、本発明は、ハードウェアのみの実施形態、ソフトウェアのみの実施形態、またはソフトウェアとハードウェアとの組合せを有する実施形態の形態を使用してもよい。さらに、本発明は、コンピュータ使用可能プログラムコードを含む1つまたは複数のチップシステムまたはコンピュータ使用可能記憶媒体(限定はしないが、ディスクメモリ、CD-ROM、光メモリなどを含む)上に実装されるコンピュータプログラム製品の形態を使用してもよい。
【０１１２】
本発明について、本発明の実施形態による方法、装置(システム)、およびコンピュータプログラム製品のフローチャートおよび/またはブロック図を参照して説明する。コンピュータプログラム命令は、フローチャートおよび/もしくはブロック図における各プロセスおよび/もしくは各ブロック、または、フローチャートおよび/もしくはブロック図におけるプロセスおよび/もしくはブロックの組合せを実施するために使用されてもよいことが理解されるべきである。これらのプログラム命令は、コンピュータまたは任意の他のプログラム可能データ処理デバイスがフローチャート内の1つもしくは複数のプロセスおよび/またはブロック図内の1つもしくは複数のブロックにおける特定の機能を実施するための装置を生成するように、機械を生成するために、汎用コンピュータ、専用コンピュータ、組み込みプロセッサ、または任意の他のプログラム可能データ処理デバイスのプロセッサに提供されてもよい。
【０１１３】
これらのコンピュータプログラム命令は、コンピュータ可読メモリ内に記憶された命令が、命令装置を含むアーティファクトを生成するように、特定の方法で動作するようにコンピュータまたは任意の他のプログラム可能データ処理デバイスに命令することができるコンピュータ可読メモリ内に記憶されてもよい。命令装置は、フローチャート内の1つもしくは複数のプロセスおよび/またはブロック図内の1つもしくは複数のブロックにおける特定の機能を実施する。
【０１１４】
これらのコンピュータプログラム命令は、一連の動作およびステップがコンピュータまたは別のプログラム可能デバイス上で実行され、それによってコンピュータ実施処理を生成するように、コンピュータまたは別のプログラム可能データ処理デバイス上にロードされてもよい。したがって、コンピュータまたは別のプログラム可能デバイス上で実行される命令は、フローチャート内の1つもしくは複数のプロセスおよび/またはブロック図内の1つもしくは複数のブロックにおける特定の機能を実施するためのステップを提供する。
【符号の説明】
【０１１５】
601  受信ユニット
602  送信ユニット
【図１】
0006900495.tif 000002
【図２Ａ】
0006900495.tif 000003
【図２Ｂ】
0006900495.tif 000004
【図２Ｃ】
0006900495.tif 000005
【図３Ａ】
0006900495.tif 000006
【図３Ｂ】
0006900495.tif 000007
【図３Ｃ】
0006900495.tif 000008
【図４】
0006900495.tif 000009
【図５】
0006900495.tif 000010
【図６】
0006900495.tif 000011